(57)【要約】【課題】植物の根近くの土中への施肥を、手を汚すことなく、しかも、好みの深さに施肥を可能にする装置を開発する。【解決手段】本体（２）に対して、その長手方向に往復動自在な施肥用ノズル（９）の内部を、シュー（１４）を介して、施肥用ノズル（９）の軸心に対して傾斜した軸心を有する計量体（１７）の計量スペース（１６）に連通させ、計量スペース（１６）内の肥料を土中に供給可能とさせる。施肥用ノズル（９）の先端には該ノズル（９）の位置に応じて開閉されるカバー（１０）を有す。計量体（１７）は往復動自在で施肥ノズル（９）とともにトリガー（４）により作動させられる。【選択図】          図１
2004305169.tif 000002
【特許請求の範囲】
【請求項１】
長手方向に往復動自在な施肥用ノズルと、施肥用ノズルに対して前方で離れ後方で接近するよう傾斜した形で配されかつ往復動自在な計量体と、計量体がホッパと連通自在な計量スペースを有し、さらに、計量スペースと施肥用ノズル内部とを連通可能とさせるシューと、施肥用ノズルと計量体とを一方向に移動させるレバーと、レバーを操作する装置とを有する施肥装置。
【請求項２】
施肥用ノズルの先端に開閉自在なカバーを有し、施肥用ノズルが後退したときカバーが静止部材により開状態となり、計量スペースがシューと施肥用ノズルを介して外部に開放される請求項１記載の施肥装置。
【請求項３】
計量体が計量スペースと連通する詰まり防止スペースを有し、計量スペースがシューと連通状態のとき、ホッパが詰まり防止スペースと連通する請求項２記載の施肥装置。
【請求項４】
スプリングにより一方向に付勢されたレバーがトリガーにより回動させられる請求項３記載の施肥装置。
【請求項５】
施肥用ノズルと計量体が持手付きのピストル形状の本体に装着される請求項４記載の施肥装置。
【請求項６】
施肥用ノズルが本体に固定されたノズルガイドに沿って往復動し、計量体が本体に固定されたガイドパイプに沿って往復動し、施肥用ノズルと計量体がワイヤを介してレバーに接続され、レバーの一端が本体に枢支されている請求項２記載の施肥装置。
【請求項７】
シューの施肥用ノズルの内部との連通部がシューの計量スペースとの連通部より前方に位置する請求項２記載の施肥装置。
【発明の詳細な説明】
【０００１】
【発明の属する技術分野】
本発明は、植物のための施肥装置に関する。
【０００２】
【従来の技術】
植物への主な肥料とし、植え付けや種子まきと同時に施す元肥、元肥が消耗された頃に元肥を補うために施す追肥、花後や収穫後に与えるお礼肥があるが、これらの施肥にはショベルにより土に肥料のためのスペースを作り施肥後土すくい等で土を被せる作業をしている。
【０００３】
施肥をする人として、草花或いは樹木の育成、販売を業とする職業的専門家とガーデニングを楽しむ趣味の人とに大別されよう。職業的専門家は、肥料に対する知識も豊かで、施肥の道具も各種所有し、元肥、追肥、お礼肥に適した道具を選択し、使用している。
【０００４】
【発明が解決しようとする課題】
しかし、趣味の人が施肥する場合、専門家と同じ道具を使い、肥料に関する豊かな知識を活用するという訳にはいかない。特に、限られた時間内に効率よく、しかも、できる限り手を汚さずに施肥するための趣味の人に適した道具が開発されてない。
【０００５】
それ故に、本発明は施肥を効率よく可能とする道具を開発、提供することを解決すべき課題とする。
【０００６】
【課題を解決するための手段】
本発明は、前述した課題を解決するために、ノズルを土中に差し込み、その後、トリガーを引くことで、トリガーを後退させかつノズルを開とし、一定量の肥料を施す手段を採用する。
この手段の採用は、使用者が手を汚すことなく、施肥が可能となる。
【０００７】
本発明によれば、長手方向に往復動自在な施肥用ノズルと、施肥用ノズルに対して前方で離れ後方で接近するよう傾斜した形で配されかつ往復動自在な計量体と、計量体がホッパと連通自在な計量スペースを有し、さらに、計量スペースと施肥用ノズル内部とを連通可能とさせるシューと、施肥用ノズルと計量体とを一方向に移動させるレバーと、レバーを操作する装置とを有する施肥装置が提供される。
【０００８】
【発明の実施の形態】
本発明の実施の形態の一例の施肥装置１を図１と図２に示す。
木製の本体２はピストル形で、持手３と前後に往復動自在なトリガー４を有し、トリガー４はトリガーガイド５に沿って移動する。トリガー４の一端は、一端を本体２に枢支したレバー６に当接自在となっている。
レバー６は、スプリング７により前方へ（トリガー４を図１で見て左方へ）付勢する。スプリング７の端部はレバー６と本体２又はトリガーガイド５に係止される。
【０００９】
本体２の前方部にパイプからなるノズルガイド８を固定する。ノズルガイド８内に、ノズルガイド８より長いパイプからなる施肥用ノズル９を摺動自在に配す。施肥用ノズル９の一端をワイヤ１８を介してレバー６に結合する。
施肥用ノズル９の先端は、約３０〜４５度（角度）に切断され、その開口部をカバー１０にて常時閉じる。好ましくは、キャップ即ちカバー１０はスプリング（図示なし）により閉方向へ付勢される。
【００１０】
施肥用ノズル９内には、間隔をおいてカット部１１を設けたインナーパイプ１２を配し、インナーパイプ１２の一端１３を本体２に固定させる。
インナーパイプ１２のカット部１１に対応する施肥用ノズル９の部分に開口部２３を設ける。
【００１１】
トリガー４を引くと、スプリング７の付勢力に抗して、レバー６が図１で見て時計方向に回動する。このレバー６の動きはワイヤ１８を介して施肥用ノズル９をノズルガイド８に沿って右方へ移動させる。この施肥用ノズル９の動きは、インナーパイプ１２の先端部がカバー１０を押し上げ、施肥用ノズル９の内部を外部へ開放させる。
【００１２】
ノズルガイド８は、本体２に支持されたシュー１４に結合される。シュー１４は本体２に固定したガイドパイプ１５に結合される。
ガイドパイプ１５内に計量スペース１６を有する計量体１７を往復動自在に配す。
計量体１７の一端をワイヤ１８を介してレバー６に接続する。
計量体１７は、一定量の肥料を収納する計量スペース１６と、計量スペース１６につづく細長い詰まり防止スペース２０を有す。
【００１３】
ガイドパイプ１５に肥料ホッパ１９を接続する。肥料ホッパ１９の出口部２２は、計量スペース１６又は詰まり防止スペース２０に常時開放される。計量スペース１６は、計量体１７の位置に応じ、シュー１４に開放され、かつ開口部２３を介して施肥用ノズル９内に開放される。
【００１４】
円筒状の計量体１７を案内するガイドパイプ１５の中心線は、施肥用ノズル９の中心線に対して２０〜４０度、好ましくは３０度（角度）傾けてあり、シュー１４をノズルガイド８に対して３５〜４５度（角度）傾けてある。シュー１４の下端部は上端部より前方に位置する。これにより、施肥用ノズル９を土中に差し込んだとき、計量スペース１６、シュー１４、施肥用ノズル９の各内部が向きを変えた下向きの通路となり、肥料の自重による落下を可能にする。
【００１５】
図２乃至５を参照して、図１の例の施肥装置１の使用を説明する。肥料ホッパ１９内に、好ましくは顆粒状の肥料を入れる。肥料は、図１に示すように、計量スペース１６内に入る。シュー１４は、計量体１７と施肥用ノズル９により閉状態となっている。
図３に示すように、施肥用ノズル９を土中に差し込む。好ましくは、３０度程度の角度で施肥用ノズル９を土中に差し込む。この際、カバー１０が閉となっており、カバー１０が土を押し土は施肥用ノズル９内に入らない。
【００１６】
図２と図４に示すように、トリガー４を引くと、トリガー４がレバー６をスプリング７の付勢力に抗して時計方向に回動させ、ワイヤ１８，１８を介して、施肥用ノズル９と計量体１７とをレバー６側へ移動させる。この結果、インナーパイプ１２の先端部がカバー１０を押し上げ、施肥用ノズル９の内部を空間２１に開放する。
施肥用ノズル９の開口部２３及び計量体１７の計量スペース１６がシュー１４に開放されるので、計量スペース１６内の肥料がシュー１４及び施肥用ノズル９を介して空間２１内に流出する。
【００１７】
このとき、ホッパ１９の出口部２２は、浅い溝状の詰まり防止スペース２０と対向し、詰まり防止スペース２０内にホッパ１９内の肥料を供給するが、このスペース２０は、施肥用ノズル９を土に差し込んだ状態では上向きとなっており、ホッパ１９内の肥料の計量スペース１６への供給はしない。
【００１８】
その後、トリガー４を離し、施肥用ノズル９と計量体１７を図１に示す状態とさせる。即ち、土中の肥料に影響されることなく、施肥用ノズル９をカバー１０により閉状態とし、かつ計量スペース１６内にホッパ１９から肥料を一定量供給する。
図１と図２に示す状態への計量体１７の摺動中、詰まり防止スペース２０がガイドパイプ１５と計量体１７との間に肥料が入るのを防止する。
その後、施肥用ノズル９を土中から抜き取る。
【００１９】
必要に応じて、トリガー４を図示しないモータにより一定のインターバルで作動可能とさせることにより連続した施肥が可能となる。
さらに、本体２、ノズルガイド８、インナーパイプ１２、シュー１４、ガイドパイプ１５、トリガーガイド５及びホッパ１９を合成樹脂材の射出成形により形成し、これに別成形の施肥用ノズル９、計量体１７、レバー６、トリガー４を組み付け、これら部品を覆うカバーを取り付けても良い。
本装置は、施肥用として説明したが、肥料以外の薬剤や栄養土の供給にも利用できることは当業者に自明であろう。
【図面の簡単な説明】
【図１】本発明による施肥装置の一例の一部を断面で示す正面図である。
【図２】図１の例のトリガーを引いた状態の正面図である。
【図３】施肥用ノズルを土中に差し込んだ状態の部分正面図である。
【図４】施肥用ノズルを少し戻した状態を示す部分正面図である。
【図５】肥料をカバーで押し込んだ状態の正面図である。
【符号の説明】
１    施肥装置
２    本体
４    トリガー
６    レバー
７    スプリング
８    ノズルガイド
９    施肥用ノズル
１０    カバー
１１    カット部
１２    インナーパイプ
１４    シュー
１５    ガイドパイプ
１６    計量スペース
１７    計量体
１９    ホッパ
２０    詰まり防止スペース
２２    出口部
２３    開口部
【図１】
2004305169.tif 000003
【図２】
2004305169.tif 000004
【図３】
2004305169.tif 000005
【図４】
2004305169.tif 000006
【図５】
2004305169.tif 000007